(57)【要約】【課題】デザイン設計の自由度が高く、簡単な構成でガス抜き機構および誤噴射防止機構を実現することができ、簡単な操作で通常噴射状態および誤噴射防止状態を切り替えることができ、誤噴射防止状態への切り替え操作とは別個の操作によりガス抜き状態に切り替え可能とされたエアゾール容器用アクチュエータを提供すること。【解決手段】ボタンカバー１２０と押ボタン１５０が、回動することによって係合する回動係合機構を有し、ボタンカバー１２０とボタンキャップ１６０が、ボタンキャップ１６０が移動することによって係合するキャップ係合機構を有し、回動係合機構が、係合したときに押ボタン１５０の押し下げる前の位置から下方への移動を阻止するように形成され、キャップ係合機構が、係合したときに押ボタン１５０の押し下げた位置から上方への移動を阻止するように形成されていること。【選択図】  図１
2019218071.tif 000002
【特許請求の範囲】
【請求項１】
エアゾール容器本体の容器口部の上部に設けられたステムを囲んで取付けられる肩カバーと、前記ステムに接続して前記ステムを下方に押圧可能な押ボタンと、前記肩カバー上に前記押ボタンを囲んで取付けられるボタンカバーと、前記押ボタン上に前記押ボタンを下方に押圧可能に設けられたボタンキャップとを有するエアゾール容器用アクチュエータであって、
前記ボタンカバーと前記押ボタンは、回動することによって係合する回動係合機構を有し、
前記ボタンカバーと前記ボタンキャップは、前記ボタンキャップが移動することによって係合するキャップ係合機構を有し、
前記回動係合機構が、係合したときに前記押ボタンの押し下げる前の位置から下方への移動を阻止するように形成され、
前記キャップ係合機構が、係合したときに前記押ボタンの押し下げた位置から上方への移動を阻止するように形成されていることを特徴とするエアゾール容器用アクチュエータ。
【請求項２】
前記押ボタンが下部に円筒状の脚部を有し、当該脚部には下方に開放されたスリットが形成され、
前記回動係合機構が、前記ボタンカバーの下部の前記押ボタンを収容するリング部から径方向内方に突出する押下制止突起と、前記押ボタンの前記脚部とにより構成されていることを特徴とする請求項１に記載のエアゾール容器用アクチュエータ。
【請求項３】
前記キャップ係合機構が、平板状の前記ボタンキャップの外周縁部の一部よりなる耳部と、前記ボタンカバーの上部において径方向内方に張り出した係合突起とから構成されていることを特徴とする請求項１または請求項２に記載のエアゾール容器用アクチュエータ。
【請求項４】
前記ボタンキャップには、耳部と異なる部位に操作用突起が形成されていることを特徴とする請求項３に記載のエアゾール容器用アクチュエータ。
【請求項５】
前記ボタンキャップが、前記押ボタン上に回動可能に設けられた略円盤状のものであることを特徴とする請求項３または請求項４に記載のエアゾール容器用アクチュエータ。
【請求項６】
前記ボタンキャップが、前記押ボタンが前記ステムを下方に押し下げていない位置において前記ボタンカバーの回動に伴って一体的に回動するものであることを特徴とする請求項５に記載のエアゾール容器用アクチュエータ。
【請求項７】
前記ボタンカバーの前記係合突起が、前記リング部の一部から上方に立ち上がり前記押ボタンの一部を開放して囲うハウジング部の上部に形成されることを特徴とする請求項３乃至請求項６のいずれかに記載のエアゾール容器用アクチュエータ。
【請求項８】
前記ボタンカバーの前記ハウジング部が、前記回動係合機構によって前記押ボタンの下方への移動が阻止されたときに前記押ボタンのノズル部の噴射口を隠すものであることを特徴とする請求項７に記載のエアゾール容器用アクチュエータ。
【請求項９】
前記ハウジング部が、前記押ボタンがステムを下方に押し下げているときに前記押ボタンのノズル部の正面方向から見て左右非対称となる位置に形成されていることを特徴とする請求項７または請求項８に記載のエアゾール容器用アクチュエータ。
【請求項１０】
前記ボタンカバーは、前記肩カバーに対して回動可能に設けられ、
前記肩カバーには、前記ボタンカバーの一方向への回転による前記押下制止突起の移動を制限する規制部材が設けられていることを特徴とする請求項２乃至請求項９のいずれかに記載のエアゾール容器用アクチュエータ。
【請求項１１】
前記肩カバーには、前記ボタンカバーの他方向への回転による前記押下制止突起の移動を制限する規制部材が設けられていることを特徴とする請求項２乃至請求項１０のいずれかに記載のエアゾール容器用アクチュエータ。
【請求項１２】
前記肩カバーの規制部材の少なくとも一方に、前記押ボタンの周方向への移動を禁止する係合スリットが形成されていることを特徴とする請求項１１に記載のエアゾール容器用アクチュエータ。
【請求項１３】
請求項１乃至請求項１２のいずれかに記載のエアゾール容器用アクチュエータを備えることを特徴とするエアゾール製品。
【発明の詳細な説明】
【技術分野】
【０００１】
本発明は、エアゾール容器用アクチュエータに関する。特に、簡単な操作で通常噴射状態、誤噴射防止（ロック）状態、および噴射維持状態（ガス抜き状態）のそれぞれの状態に切り替え可能なエアゾール容器用アクチュエータに関するものである。
【背景技術】
【０００２】
一般的に、使用済みのエアゾール容器をゴミとして廃棄する際、容器内部に残存するガスを放出しなければならず、そのため、種々のエアゾール容器用ガス抜き機構が提案されている。
例えば、エアゾール容器用アクチュエータにおいて、容器のステムに接続されるノズル付きの押ボタンの上面にストッパが設けられ、押ボタンを押し下げながらストッパを移動させることによりストッパがカバーと係合して、押ボタンから指を離しても押ボタンの押し下げ状態が維持されてガスが噴出し続け、容器内部の残存ガスを放出するものが知られている（特許文献１等参照。）。
一方、上記のようなガス抜きのための構成の他に、エアゾール容器用アクチュエータにおいて、使用者が誤って押ボタンを押した場合のステムの押し下げを制限する誤噴射防止機構を備えたものが知られている（特許文献２等参照。）。特許文献２に開示されたエアゾール容器においては、スライド可能な移動部材がノズルの倒れ方向にスライドすることにより、固定部材の傾動規制部が移動部材の貫通孔の内周面に嵌合し、その結果ノズルの倒れを防止する邪魔部材となり、これにより内容物が噴射されないように構成されている。
また、これらのガス抜き状態および誤噴射防止状態を、通常噴射状態からそれぞれワンタッチで切り替えることができるエアゾール容器用アクチュエータも提案されている（特許文献３等参照。）。特許文献３に開示されたエアゾール容器用アクチュエータにおいては、操作ボタンを押し下げずにカバーに対して前後方向の一方にスライドすることによりこのカバーに係合されて操作ボタンの下方への移動が阻止されて内容物が噴射されない誤噴射防止状態とされる一方、操作ボタンを押し下げながらカバーに対して前後方向の他方にスライドすることによりカバーに係合されて操作ボタンの上方への移動が阻止されてガスが噴出し続けるよう構成されている。
【先行技術文献】
【特許文献】
【０００３】
【特許文献１】特開２００７−２９７１０１号公報
【特許文献２】特開２００５−３４７０９号公報
【特許文献３】特許第５９３８２２５号公報
【発明の概要】
【発明が解決しようとする課題】
【０００４】
特許文献２、特許文献３等で公知のガス抜き機構および誤噴射防止機構の両方を備えたエアゾール容器用アクチュエータでは、ガス抜きは通常エアゾール容器の廃棄前のみに限って行われる動作であるところ、ガス抜き状態に移行する操作が誤噴射防止状態に移行する操作に近似（スライドする方向が前後方向の違いのみ等）しており、通常噴射状態と誤噴射防止状態との切り替え時に誤ってガス抜きを行ってしまうおそれがある。
また、ガス抜き機構および誤噴射防止機構の両方を備えたエアゾール容器用アクチュエータにおいては、ガイドレール等を使用して多機能を実装する都合上、デザイン性に大きな制約があった。
このように、エアゾール容器用アクチュエータとして、デザインの自由度が高いもの、例えば左右非対称のものなどが求められている。
【０００５】
本発明は、上記課題を解決するものであって、その目的は、デザイン設計の自由度が高く、簡単な構成でガス抜き機構および誤噴射防止機構を実現することができ、さらに、簡単な操作で通常噴射状態および誤噴射防止状態を切り替えることができ、かつ、通常噴射状態と誤噴射防止状態との切り替え操作とは別個の操作によりガス抜き状態（噴射維持状態）に切り替え可能として誤操作を抑制することにより高い利便性が得られるエアゾール容器用アクチュエータを提供することにある。
【課題を解決するための手段】
【０００６】
本発明のエアゾール容器用アクチュエータは、エアゾール容器本体の容器口部の上部に設けられたステムを囲んで取付けられる肩カバーと、前記ステムに接続して前記ステムを下方に押圧可能な押ボタンと、前記肩カバー上に前記押ボタンを囲んで取付けられるボタンカバーと、前記押ボタン上に前記押ボタンを下方に押圧可能に設けられたボタンキャップとを有するエアゾール容器用アクチュエータであって、
前記ボタンカバーと前記押ボタンは、回動することによって係合する回動係合機構を有し、
前記ボタンカバーと前記ボタンキャップは、前記ボタンキャップが移動することによって係合するキャップ係合機構を有し、
前記回動係合機構が、係合したときに前記押ボタンの押し下げる前の位置から下方への移動を阻止するように形成され、
前記キャップ係合機構が、係合したときに前記押ボタンの押し下げた位置から上方への移動を阻止するように形成されていることにより、上記課題を解決するものである。
【発明の効果】
【０００７】
本発明の請求項１に記載のエアゾール容器用アクチュエータおよび本発明の請求項１３に記載のエアゾール製品によれば、押ボタンおよびボタンカバーに回動係合機構を設けると共にボタンカバーおよびボタンキャップにキャップ係合機構を設けるという簡単な構成によってガス抜き機構および誤噴射防止機構の両方を実現することができる。また、キャップ係合機構は押ボタン上に設けられたボタンキャップと押ボタンの側周面の一部のみを囲うボタンカバーとによって実現可能であるため、ボタンカバーの形状や押ボタンの大きさに対する規制が小さく、高いデザイン設計の自由度が得られる。
さらに、ボタンカバーを回動させるだけで通常噴射状態と誤噴射防止状態を切り替えることができ、また、ボタンキャップを移動させるだけで通常噴射状態と噴射維持状態（ガス抜き状態）とを切り替えることができるために、操作者による操作が容易である。また、通常噴射状態から誤噴射防止状態への切り替えと、通常噴射状態から噴射維持状態への切り替えとが、別個の部材を操作することによって行われるので、誤操作の発生を抑制することができて意図せずガス抜き状態に移行されることを抑止することができ、高い利便性が得られる。
【０００８】
本発明の請求項２に記載の構成によれば、ボタンカバーの回動により押下制止突起の周方向の位置が脚部のスリットに対応する位置から変位して押ボタンの脚部のスリット以外の部分の下に挿入され、これにより押ボタンの下方への移動を阻止することができるところ、スリット以外の部分であれば脚部の下のいずれの位置に挿入されても押ボタンの下方への移動が阻止されるので、操作者による操作がより容易となり、利便性がさらに向上する。
本発明の請求項３に記載の構成によれば、ボタンキャップの移動により耳部がボタンカバーの上部に張り出した係合突起に係合され、これにより押ボタンの上方への移動を阻止することができる。従って、ボタンカバーの上部に係合突起が設けられた簡易な構成によって確実にガス抜き状態を得ることができるため、係合突起と耳部との係合が可能であれば、製作の際に緻密な位置合わせや寸法合わせが必要ではなく、エアゾール容器用アクチュエータを簡易な製造工程で安価に作製することができる。
本発明の請求項４に記載の構成によれば、ボタンキャップの移動をより安定して行うことができ、操作者による操作がより容易となり、利便性がさらに向上する。
本発明の請求項５に記載の構成によれば、ボタンキャップの移動を回動により行うことができ、操作者による操作がより容易となり、利便性がさらに向上する。
本発明の請求項６に記載の構成によれば、回動係合機構の動作時にボタンキャップがボタンカバーに従動して回動するので、誤操作の発生をより抑制することができ、高い利便性が得られる。
本発明の請求項７に記載の構成によれば、ハウジング部が押ボタンの一部のみを囲うものであるため、押ボタンの露出部分について高いデザイン設計の自由度が得られる。
本発明の請求項８に記載の構成によれば、誤噴射防止状態とされていることを視認することができるため、利便性がさらに向上する。
【０００９】
本発明の請求項９に記載の構成によれば、正面方向から見て左右非対称の高いデザイン性が得られる。
本発明の請求項１０および請求項１１に記載の構成によれば、ボタンカバーの一方向および他方向への回動範囲が肩カバーの規制部材が邪魔部材となることによって制限され、ボタンカバーの過度の回動が自動的に抑止されるので、操作者が通常噴射状態から誤噴射防止状態または噴射維持状態（ガス抜き状態）に切り替えられたことを認識し易く、利便性がさらに向上する。
本発明の請求項１２に記載の構成によれば、押ボタンの周方向への移動が肩カバーによって禁止されるので、操作者によるボタンカバーの回動やボタンキャップの移動の操作がより容易となり、利便性がさらに向上する。
【図面の簡単な説明】
【００１０】
【図１】本発明の一実施形態に係るエアゾール容器用アクチュエータの通常噴射状態の未噴射時における（ａ）斜視図、（ｂ）正面図、（ｃ）背面図、（ｄ）平面図、（ｅ）Ａ−Ａ線断面図、（ｆ）Ｂ−Ｂ線断面図である。
【図２】肩カバーの（ａ）斜視図、（ｂ）正面図、（ｃ）平面図、（ｄ）底面図、（ｅ）Ａ−Ａ線断面図である。
【図３】押ボタンの（ａ）斜視図、（ｂ）正面図、（ｃ）平面図、（ｄ）底面図、（ｅ）Ａ−Ａ線断面図である。
【図４】ボタンカバーの（ａ）斜視図、（ｂ）正面図、（ｃ）背面図、（ｄ）平面図、（ｅ）底面図、（ｆ）Ａ−Ａ線断面図である。
【図５】ボタンキャップの（ａ）斜視図、（ｂ）平面図、（ｃ）底面図、（ｄ）Ａ−Ａ線断面図である。
【図６】本発明の一実施形態に係るエアゾール容器用アクチュエータの通常噴射状態の噴射時における（ａ）斜視図、（ｂ）正面図、（ｃ）背面図、（ｄ）平面図、（ｅ）Ａ−Ａ線断面図である。
【図７】肩カバー、押ボタンおよびボタンカバーの位置関係の（ａ）通常噴射状態の底面図、（ｂ）誤噴射防止（ロック）状態の底面図である。
【図８】本発明の一実施形態に係るエアゾール容器用アクチュエータの誤噴射防止（ロック）状態における（ａ）斜視図、（ｂ）正面図、（ｃ）背面図、（ｄ）右側面図、（ｅ）平面図、（ｆ）Ａ−Ａ線断面図である。
【図９】本発明の一実施形態に係るエアゾール容器用アクチュエータの噴射維持状態（ガス抜き状態）における（ａ）斜視図、（ｂ）正面図、（ｃ）平面図、（ｄ）Ａ−Ａ線断面図、（ｅ）Ｂ−Ｂ線断面図のエアゾール容器本体を除いて示す図、（ｆ）Ｃ−Ｃ線断面図、（ｇ）Ｄ−Ｄ線断面図である。
【発明を実施するための形態】
【００１１】
以下、本発明について詳細に説明する。
〔エアゾール容器用アクチュエータ〕
本発明のエアゾール容器用アクチュエータ１１０は、図１に示されるように、エアゾール容器本体１０１の上部のマウンティングカップ１０３に、その中心部に設けられたステム１０２を囲んで取付けられる肩カバー１３０と、このステム１０２に接続されステム１０２を下方に押圧可能な押ボタン１５０と、肩カバー１３０上に押ボタン１５０を囲んで取付けられるボタンカバー１２０と、押ボタン１５０上に当該押ボタン１５０を下方に押圧可能に設けられたボタンキャップ１６０とから構成されている。
ボタンカバー１２０は、肩カバー１３０に対し周方向に回動可能に構成されている。
ボタンキャップ１６０は、押ボタン１５０がステム１０２を押し下げていない位置においてボタンカバー１２０の回動に伴って一体的に移動可能に構成されている。
押ボタン１５０は、ステム１０２に接続されてステム１０２と一体に上下方向のみに移動可能に構成されている。
なお、この明細書および特許請求の範囲に記載された「上方」および「下方」は、操作者が一般的に認識する方向であり、「上下方向」はエアゾール容器本体のステム側を「上」とする方向である。また、「周方向」は「上下方向」を軸として周回する方向である。また、「前方」はステムに押ボタンを嵌合した際のノズル部からの内容物の噴射方向である。
【００１２】
押ボタン１５０がボタンカバー１２０に対して上下方向に移動可能な位置が通常噴射状態であり、押ボタン１５０の上面に設けられたボタンキャップ１６０の上面を下方に押圧することでステム１０２が下方に押し下げられ、エアゾール製品１００の内容物がステム１０２から押ボタン１５０のノズル部１５９内を通過して外部に噴射され、押ボタン１５０の押圧を解除すると、ステム１０２が上方に復帰して押ボタン１５０が上方に自動的に押し上げられ、内容物の噴射が停止する。
そして、本発明のエアゾール容器用アクチュエータ１１０にはボタンカバー１２０および押ボタン１５０に回動係合機構が設けられている。回動係合機構においては、通常噴射状態、かつ、押ボタン１５０が上方に位置する（ステム１０２が押圧されず内容物の噴射が停止している）状態において、ボタンカバー１２０が押ボタン１５０に対して周方向に回動可能であり、周方向に回動させた位置において押ボタン１５０の下方への押し下げが阻止され、ステム１０２の押圧が阻止される誤噴射防止（ロック）状態となる。
一方、ボタンカバー１２０およびボタンキャップ１６０にキャップ係合機構が設けられている。キャップ係合機構においては、通常噴射状態、かつ、押ボタン１５０が下方に位置する（ステム１０２を下方に押圧し内容物が噴射している）状態において、ボタンキャップ１６０が押ボタン１５０に対して回動可能であり、回動係合させた位置で押ボタン１５０の上方への押し上げが阻止され、ステム１０２が押圧されたままの噴射維持状態（ガス抜き状態）となる。
【００１３】
このように構成されることで、押ボタン１５０およびボタンカバー１２０に回動係合機構を設けると共にボタンカバー１２０およびボタンキャップ１６０にキャップ係合機構を設けるという簡単な構成によってガス抜き機構および誤噴射防止機構の両方を実現することができる。また、キャップ係合機構は押ボタン１５０上に設けられたボタンキャップ１６０と押ボタン１５０の側周面の一部のみを囲うボタンカバー１２０とによって実現可能であるため、ボタンカバー１２０の形状や押ボタン１５０の大きさに対する規制が小さく、高いデザイン設計の自由度が得られる。また、ボタンカバー１２０を回動させるだけで通常噴射状態と誤噴射防止状態を切り替えることができ、ボタンキャップ１６０を移動させるだけで通常噴射状態と噴射維持状態（ガス抜き状態）とを切り替えることができるために、操作者による操作が容易である。さらに、通常噴射状態から誤噴射防止状態への切り替えと、通常噴射状態から噴射維持状態への切り替えとが、別個の部材を操作することによって行われるので、誤操作の発生を抑制することができ、高い利便性が得られる。
【実施例】
【００１４】
以下に、本発明の一実施形態であるエアゾール容器用アクチュエータ１１０の詳細な構成および動作について、図面に基づいて説明する。
本発明の一実施形態に係るエアゾール容器用アクチュエータ１１０は、図１に示されるように、エアゾール容器本体１０１の上部のマウンティングカップ１０３に、その中心部に設けられたステム１０２を囲んで取付けられる肩カバー１３０と、このステム１０２に接続されステム１０２を下方に押圧可能な押ボタン１５０と、肩カバー１３０上に押ボタン１５０を囲んで取付けられるボタンカバー１２０と、押ボタン１５０上に当該押ボタン１５０を下方に押圧可能に設けられたボタンキャップ１６０とからなる。
【００１５】
肩カバー１３０は、図２に示されるように、下方に延びマウンティングカップ１０３に嵌合する嵌合筒部１３３と、嵌合筒部１３３の上端に設けられたリング状の突条よりなる回転ガイドレール１３１と、嵌合筒部１３３と回転ガイドレール１３１との間に介在されて径方向内方に水平に突出する、中央に押ボタン１５０を収容可能な円環状の内方顎部１３４とを備えている。
内方顎部１３４の内周縁には、２箇所にボタンカバー１２０の回動範囲を制限する第１の規制部材１３６および第２の規制部材１３７がそれぞれ径方向内方に突出するよう設けられている。第１の規制部材１３６および第２の規制部材１３７はお互いの間に平面視で約２５０度の開き角が形成されるよう離間して形成されている。
内方顎部１３４における第１の規制部材１３６および第２の規制部材１３７の広角端部（約２５０度の開き角に面した側の端部）１３６ａ，１３７ａ側には、それぞれ、後述するボタンカバー１２０の押下制止突起１２４ａ，１２４ｂの幅に適合した間隔をあけて径方向内方にわずかに突出するクリック片１３９ａ，１３９ｂがそれぞれ形成されている。
第２の規制部材１３７には、その先端から上方に延びる係止用リブ１３７ｂが形成されており、当該係止用リブ１３７ｂには、後述する押ボタン１５０の係止用突条１５５を係止する、上下方向に延びる係合スリット１３７ｃが形成されている。
【００１６】
押ボタン１５０は、図３に示されるように、円盤状の天井部１５１と、天井部１５１の外周縁から下方に延びる円筒状の脚部１５２と、脚部１５２の内部に設けられたエアゾール製品１００の内容物を外部に噴射するノズル部１５９とを備えている。
脚部１５２には、下方に開放された上下方向に延びる２つのスリット１５３ａ，１５３ｂが形成されている。スリット１５３ａ，１５３ｂは、一方のスリット１５３ａがノズル部１５９に近接した位置に形成されていると共に、他方のスリット１５３ｂが、一方のスリット１５３ａと平面視で約１１５度の開き角が形成されるよう離間して形成されている。
天井部１５１には、その中央にボタンキャップ１６０の嵌合突起１６１と係合する嵌合受部１５４が形成されている。
また、天井部１５１の表面には、上方に突出して一方の規制突起１５６がノズル部１５９の噴射口１５９ｄに近接した位置に形成されると共に、上方に突出して他方の規制突起１５７が一方の規制突起１５６と平面視で約９０度の開き角が形成されるよう離間して形成されている。このように規制突起１５６，１５７が形成されることにより、ボタンキャップ１６０の最大回転角度が約９０度に規制される。
脚部１５２には、その内周面に、肩カバー１３０の第２の規制部材１３７の係止用リブ１３７ｂに形成された係合スリット１３７ｃと係合する、上下方向に延びる係止用突条１５５が形成されている。係止用突条１５５は、スリット１５３ａとは約１１５度、スリット１５３ｂとは約１３０度の開き角が形成されるよう離間して形成されている。
【００１７】
押ボタン１５０のノズル部１５９は、ステム１０２に嵌合する外形円筒状のステム用孔１５９ａと、このステム用孔１５９ａから前方に延びる吐出部１５９ｂと、吐出部１５９ｂを取り囲み、前方に変位するに従って径大となり、脚部１５２の開口１５２ａと一体に連続して外部に露出するテーパー状の包囲壁１５９ｃとを有している。
吐出部１５９ｂの先端には噴射口１５９ｄが設けられ、ステム用孔１５９ａと吐出部１５９ｂの内部には、ステム１０２の先端から噴出する内容物を噴射口１５９ｄまで導く導通孔１５９ｅが形成されている。
ステム用孔１５９ａは、ステム１０２と嵌合して上下褶動可能に前後左右にはガタつきなく案内される形状（本実施例では円筒形状）に形成されている。
【００１８】
ボタンカバー１２０は、図４に示されるように、中央に押ボタン１５０を収容可能な下部リング部１２１と、この下部リング部１２１の一部（通常噴射状態において前方から見たとき押ボタン１５０の噴射口１５９ｄの左側部）から上方に立ち上がって押ボタン１５０の側周面の一部を開放して囲うことが可能なハウジング部１２５とを備えている。
下部リング部１２１の裏側には、肩カバー１３０の回転ガイドレール１３１に係合してボタンカバー１２０を肩カバー１３０に対して周方向に回動可能な回転ガイド溝１２２が形成されている。
下部リング部１２１の通常噴射状態において押ボタン１５０の噴射口１５９ｄに接近する領域には、所定の噴射角が得られるよう凹み部１２７が形成されている。
下部リング部１２１には、径方向内方に突出すると共に下方に延びる２つの押下制止突起１２４ａ，１２４ｂが、通常噴射状態において押ボタン１５０の脚部１５２の２つのスリット１５３ａ，１５３ｂとそれぞれ適合する位置（スリット１５３ａ，１５３ｂの直下の位置）に形成されている。
ハウジング部１２５の上部には、径方向内方に張り出して押ボタン１５０が押し下げられた位置にある時のみにボタンキャップ１６０の耳部１６７をその直下に嵌入可能な係合突起１２３が形成されている。
【００１９】
ボタンキャップ１６０は、図５に示されるように、押ボタン１５０上に回転可能に設けられた略円盤状のものであり、中央の裏側に嵌合突起１６１が形成された回転天板１６２と、この回転天板１６２の外周縁から押ボタン１５０を包囲可能に下方に突出された手指で操作可能な操作用突起１６３とを備えている。
回転天板１６２には、押ボタン１５０が押し下げられていない位置においてボタンカバー１２０のハウジング部１２５の上部に形成された係合突起１２３の外形形状に適合した切り欠き１６６が形成されている。回転天板１６２の外周縁における切り欠き１６６に隣接する領域（図５（ｂ）における斜線部）が、ハウジング部１２５の係合突起１２３の下に嵌入可能な耳部１６７とされる。耳部１６７は、回転天板１６２の回転方向の下流側の領域である。耳部１６７における切り欠き１６６と連続する突端１６７ａは、ボタンカバー１２０の係合突起１２３との係合時に容易に当該係合突起１２３の下に嵌入されるよう鈍角に形成されている。
操作用突起１６３は、耳部１６７の突端１６７ａと１５０度の開き角が形成される位置に形成されている。
回転天板１６２には、嵌合突起１６１の外周縁から操作用突起１６３と同じ方向に径方向外方に突出して回転規制部材１６４が形成されている。
【００２０】
以上のように構成された本発明の一実施形態に係るエアゾール容器用アクチュエータ１１０の動作および作用について説明する。
エアゾール容器用アクチュエータ１１０は、図１に示されるように、肩カバー１３０がエアゾール製品１００のエアゾール容器本体１０１の上部のマウンティングカップ１０３に固定的に取付けられ、押ボタン１５０が、ステム用孔１５９ａをマウンティングカップ１０３から上方に延びるステム１０２の上部に嵌合させることにより当該ステム１０２に接続され、ボタンカバー１２０が、下部リング部１２１の回転ガイド溝１２２を肩カバー１３０の回転ガイドレール１３１上に回転可能に取り付けられ、ボタンキャップ１６０が、嵌合突起１６１が押ボタン１５０の嵌合受部１５４に嵌合されることによって押ボタン１５０上に取り付けられ、これにより使用可能状態に構成される。
押ボタン１５０は、係止用突条１５５が肩カバー１３０の第２の規制部材１３７の係合スリット１３７ｃに係止されることにより、周方向への移動が禁止される。
この時、前方から見てボタンカバー１２０のハウジング部１２５が押ボタン１５０の左方のみに位置する状態となる。また、ボタンキャップ１６０の切り欠き１６６にボタンカバー１２０のハウジング部１２５の係合突起１２３が水平方向に噛み合った状態となる。また、押ボタン１５０の噴射口１５９ｄは前方から視認することができる。
【００２１】
〔通常噴射状態〕
操作者がエアゾール製品１００の内容物を通常の使用で噴射、噴射停止を行う際は、押ボタン１５０とボタンカバー１２０との回動位置関係を、図１および図６に示される通常噴射状態（噴射可能状態および噴射状態）として使用される。
図６は、押ボタン１５０が下方に押圧された噴射時の状態を示し、図１は、押ボタン１５０が上方に復帰した噴射停止時の状態を示す。
この通常噴射状態の回動位置関係において、図７（ａ）に示されるように、肩カバー１３０の第１の規制部材１３６の広角端部１３６ａにボタンカバー１２０の押下制止突起１２４ａが当接した状態とされている。この押下制止突起１２４ａは、押ボタン１５０を下方に移動したときに一方のスリット１５３ａと嵌合する位置にあり、同時に、他方の押下制止突起１２４ｂが他方のスリット１５３ｂと嵌合する位置にあり、これにより、押ボタン１５０の上下方向への移動が阻止されないようになっている。
また、この通常噴射状態の回動位置関係において、ボタンキャップ１６０の回転規制部材１６４は、押ボタン１５０の一方の規制突起１５６の狭角端部１５６ａ（約９０度の開き角に面した側の端部）に当接した状態とされている（図１（ｆ）参照）。
【００２２】
この通常噴射状態の回動位置関係において、操作者が押ボタン１５０を下方に押し下げると、ステム１０２が下方に押圧されることにより、マウンティングカップ１０３の内部に備えられたバルブ機構（図示せず）が開弁され、ノズル部１５９の噴射口１５９ｄから内容物が外部に噴射される。操作者が押ボタン１５０の押し下げを停止すると、バルブに内蔵されるバネの弾性力によって押ボタン１５０は自動的に図１の中立位置まで復帰することになる。
【００２３】
〔誤噴射防止（ロック）状態〕
操作者が、誤操作等でエアゾール製品１００の内容物が噴射することを防止する際は、押ボタン１５０に対するボタンカバー１２０の回動位置関係を、図８に示される誤噴射防止（ロック）状態として使用される。
この誤噴射防止（ロック）状態は、図７（ｂ）に示されるように、前述した図１に示される押ボタン１５０が上方に復帰した噴射停止時の状態からボタンカバー１２０を右方（上方から見て反時計方向）に回転させることによって移行することができ、この回動位置関係において、ボタンカバー１２０の押下制止突起１２４ａ，１２４ｂの位置がスリット１５３ａ，１５３ｂに対応する位置から変位して押ボタン１５０の回動係合機構を構成する脚部１５２のスリット１５３ａ，１５３ｂ以外の部分の下に入り込み、この押下制止突起１２４ａ，１２４ｂが邪魔部材となることで押ボタン１５０が下方に移動することが阻止される。この時、押ボタン１５０の脚部１５２の下端面が、ボタンカバー１２０の押下制止突起１２４ａ，１２４ｂの上端面に当接している。
このことで、誤って押ボタン１５０を押圧しても下方に移動することはなく、内容物が予期せずに噴出することが防止される。
ボタンカバー１２０は、通常噴射状態から右方（上方から見て反時計方向）に約９０度回転すると、押下制止突起１２４ｂが肩カバー１３０の第２の規制部材１３７の広角端部１３７ａに当接して移動が制止される。このとき、ボタンカバー１２０の押下制止突起１２４ｂが第２の規制部材１３７の広角端部１３７ａに当接したことが、その途上のクリック片１３９ｂを乗り越えることによって操作者にクリック感として感触的に伝達される。
ボタンキャップ１６０は、当該ボタンキャップ１６０の回転天板１６２の切り欠き１６６にボタンカバー１２０のハウジング部１２５の上部の係合突起１２３が形状適合により水平方向に噛み合っているので、押ボタン１５０がステム１０２を下方に押し下げていない位置においてボタンカバー１２０の回転に伴って一体的に回転する。
この誤噴射防止（ロック）状態の回動位置関係において、ボタンキャップ１６０の回転規制部材１６４は、押ボタン１５０の他方の規制突起１５７の狭角端部１５７ａに当接した状態とされる。ボタンカバー１２０は約９０度まで回転しない状態でも、押下制止突起１２４ａ，１２４ｂが脚部１５２の下端面に当接する状態であれば誤噴射防止（ロック）状態とされる。
この誤噴射防止（ロック）状態の回動位置関係において、ボタンカバー１２０のハウジング部１２５はノズル部１５９の噴射口１５９ｄを覆っており、噴射口１５９ｄが前方から視認することはできなくなる。
【００２４】
誤噴射防止（ロック）状態を解除するためにボタンカバー１２０を左方（上方から見て時計方向）に約９０度回転すると、押下制止突起１２４ａが肩カバー１３０の第１の規制部材１３６の広角端部１３６ａに当接して移動が制止される。このとき、ボタンカバー１２０の押下制止突起１２４ａが第１の規制部材１３６の広角端部１３６ａに当接したことが、その途上のクリック片１３９ａを乗り越えることによって操作者にクリック感として感触的に伝達される。
【００２５】
〔噴射維持（ガス抜き）状態〕
操作者が、使用済みのエアゾール容器本体１０１の内部に残存するガスを放出する際は、押ボタン１５０がステム１０２を押し下げた位置において、ボタンカバー１２０とボタンキャップ１６０との位置関係を、図９に示される噴射維持（ガス抜き）状態として使用される。
この噴射維持（ガス抜き）状態は、前述した図６に示される押ボタン１５０が下方にステム１０２を押圧した噴射時の状態から、ボタンキャップ１６０を右方（上方から見て反時計方向）に回転させることによって移行することができ、この回動位置関係において、ボタンキャップ１６０のキャップ係合機構を構成する耳部１６７がボタンカバー１２０のハウジング部１２５の係合突起１２３の下方に挿入されて係合し、押ボタン１５０が上方に移動することが阻止される。ボタンキャップ１６０の回転規制部材１６４は、噴射時の状態（回転規制部材１６４が押ボタン１５０の天井部１５１上の一方の規制突起１５６の狭角端部１５６ａに当接した状態）から右方（上方から見て反時計方向）に約９０度回転すると、押ボタン１５０の天井部１５１上の他方の規制突起１５７の狭角端部１５７ａに当接して移動が制止される。ボタンキャップ１６０は約９０度まで回転しない状態でも、耳部１６７がある程度ボタンカバー１２０の係合突起１２３に係合する状態であれば噴射維持（ガス抜き）状態とされる。
以上のことで、操作者が手を離しても、押ボタン１５０によりステム１０２が下方に押圧されて内容物（残存ガス）が噴出する状態を持続できるため、容易にエアゾール容器本体１０１の内部の残存ガスを放出することができる。
【００２６】
以上、本発明の一実施形態に係るエアゾール容器用アクチュエータ１１０およびエアゾール製品１００について具体的に説明したが、エアゾール容器用アクチュエータ１１０およびエアゾール製品１００の実施形態は上記の例に限定されるものではなく、種々の変更を加えることができる。
例えば、上述した実施形態では、ボタンキャップが水平移動（スライド）するものとして構成してもよい。
【産業上の利用可能性】
【００２７】
本発明のエアゾール容器用アクチュエータは、上記実施形態の図示したような形状以外の様々な変形が可能であり、様々な用途のエアゾール製品に適用可能である。
【符号の説明】
【００２８】
１００  エアゾール製品
１０１  エアゾール容器本体
１０２  ステム
１０３  マウンティングカップ
１１０  エアゾール容器用アクチュエータ
１２０  ボタンカバー
１２１  下部リング部
１２２  回転ガイド溝
１２３  係合突起
１２４ａ，１２４ｂ  押下制止突起
１２５  ハウジング部
１２７  凹み部
１３０  肩カバー
１３１  回転ガイドレール
１３３  嵌合筒部
１３４  内方顎部
１３６  第１の規制部材
１３６ａ  広角端部
１３７  第２の規制部材
１３７ａ  広角端部
１３７ｂ  係止用リブ
１３７ｃ  係合スリット
１３９ａ，１３９ｂ  クリック片
１５０  押ボタン
１５１  天井部
１５２  脚部
１５２ａ  開口
１５３ａ，１５３ｂ  スリット
１５４  嵌合受部
１５５  係止用突条
１５６  規制突起
１５６ａ  狭角端部
１５７  規制突起
１５７ａ  狭角端部
１５９  ノズル部
１５９ａ  ステム用孔
１５９ｂ  吐出部
１５９ｃ  包囲壁
１５９ｄ  噴射口
１５９ｅ  導通孔
１６０  ボタンキャップ
１６１  嵌合突起
１６２  回転天板
１６３  操作用突起
１６４  回転規制部材
１６６  切り欠き
１６７  耳部
１６７ａ  突端
【図１】
2019218071.tif 000003
【図２】
2019218071.tif 000004
【図３】
2019218071.tif 000005
【図４】
2019218071.tif 000006
【図５】
2019218071.tif 000007
【図６】
2019218071.tif 000008
【図７】
2019218071.tif 000009
【図８】
2019218071.tif 000010
【図９】
2019218071.tif 000011